(57)【要約】【課題】大浴槽で水素ガスを効果的に活用するに際し、大浴槽に適用するに手間を要さず、冷え性の改善、美容効果、疲労回復効果、皮膚病の改善あるいはダイエット効果を人間の肩部、背中もしくは腹部、腰部、大腿部、ひざ部、脚部及び足甲部からなる身体部位に重点的に水素を供給して、これらの身体部を重点的に改善できるようにする。【解決手段】単一形水素放出容器が水素ボンベに配管を介して連結され、  複数の単一形水素放出容器同士が隣接配置され、任意数の組み合わせで着脱手段によって着脱自在に結合され、水素ガス導入部が隣接する単一形水素放出容器の水素ガス導出部に連結されて、平面板状に形成して組み立てられた単一形水素放出容器が浴槽の底部に配置され、水素ガスが単一形水素放出容器から隣接配置された単一形水素放出容器に流される。【選択図】図１
2020081126.tif 000002
【特許請求の範囲】
【請求項１】
水素ガス源としての水素ボンベに収納された水素ガスが浴槽内の水あるいはお湯に噴出させる水素ガス放出装置を備えた浴槽であって、
水素ガス放出装置が、浴槽の底面部に載置されることが可能とされ、立方体形態をなし、面上に着脱手段を備え、内部に空洞部を有して、該空洞部に、一方側から水素ガス導入部が、そして他方側に水素ガス導出部が設けられ、水素ガス放出孔が穿たれた単一形水素放出容器が複数用いられて形成され、
単一形水素放出容器が水素ボンベに配管を介して連結され、
複数の単一形水素放出容器同士が隣接配置され、任意数の組み合わせで着脱手段によって着脱自在に結合され、水素ガス導入部が隣接する単一形水素放出容器の水素ガス導出部に連結されて、平面板状に形成して組み立てられた単一形水素放出容器が浴槽の底部に配置され、水素ガスが単一形水素放出容器から隣接配置された単一形水素放出容器に流され、単一形水素放出容器の水素ガス放出孔から浴槽内のお湯に噴出されること
を特徴とする水素ガス放出装置を備えた浴槽。
【請求項２】
請求項１に記載された水素ガス放出装置を備えた浴槽において、
単一形水素放出容器が、水素ガス放出孔の水素ガス流れ上流側に逆止弁を備えることを特徴とする水素ガス放出装置を備えた浴槽。
【請求項３】
請求項１又は２に記載された水素ガス放出装置を備えた浴槽における浴槽内水素発生方法において、
浴槽内の人間の肩部、背中もしくは腹部、腰部、大腿部、ひざ部、脚部及び足甲部からなる複数の身体部位に接触あるいは近接配置された単一形水素放出容器が複数個備えられ、当該複数個備えられた単一形水素放出容器から、浴槽内の人間の肩部、背中もしくは腹部、腰部、大腿部、ひざ部、脚部又は足甲部に対応して単一形水素放出容器が選択され、選択された単一形水素放出容器から浴槽内の人間の肩部、背中もしくは腹部、腰部、大腿部、ひざ部、脚部又は足甲部に向けて、発生した水素ガスを、水あるいはお湯中に噴出させること
を特徴とする水素ガス放出装置による浴槽内水素発生方法。
【発明の詳細な説明】
【技術分野】
【０００１】
本発明は、水素ガス放出装置を備えた浴槽、特に大浴槽及び水素ガス放出装置による浴槽内水素発生方法に関する。
【背景技術】
【０００２】
水素発生剤と水あるいはお湯との反応によって生成された水素ガスを、浴槽の底面部に載置されて浴槽内の人間に向けて、水あるいはお湯に噴出させる水素放出装置がある。
【０００３】
水あるいはお湯に噴出させる水素放出装置を用いた入浴をすることで、水素を皮膚と呼吸により体内に水素を摂りこむことができ、体内の活性酸素を除去するのに効果があるといわれている。このために、水あるいはお湯に噴出させる水素放出装置を用いた入浴は、冷え性の改善、美容効果、疲労回復効果、皮膚病の改善あるいはダイエット効果があるといわれている。
【０００４】
特許文献１には、水素水を生成する水素水生成装置を設け、水素水流通ラインを浴槽に結んだ水素浴ユニットが記載される。
【０００５】
特許文献２には、浴槽内の浴湯に水素を供給して浴湯から水素水を形成する水素入浴機構が記載される。
【０００６】
特許文献３には、炭素系物質を含む入浴剤であって、水素化マグネシウムを含む入浴剤が記載される。
【先行技術文献】
【特許文献】
【０００７】
【特許文献１】特開２０１８−４６８７８号公報
【特許文献２】特開２００８−５９７３号公報
【特許文献３】特開２０１５−７４６３５号公報
【発明の概要】
【発明が解決しようとする課題】
【０００８】
水素入浴の効果が認識されるに伴って、冷え性の改善、美容効果、疲労回復効果、皮膚病の改善あるいはダイエット効果を人間の肩部、背中もしくは腹部、腰部、大腿部、ひざ部、脚部及び足甲部からなる身体部位に重点的に水素を供給して、これらの身体部位を重点的に改善することが求められる。
【０００９】
特許文献１あるいは特許文献３に記載の方法を大浴場に適用するには装置の値段が高く、また手間を要し、身体部位に重点的に水素を供給することに困難がある。
【００１０】
特許文献２に記載の方法によれば、水素入浴剤は、電気分解によって水素ガスを発生させる水素発生器に比べて浴槽に投入することで水素を発生させることができ、簡便に水素入浴の効果を得ることができるが、大浴場に適用するには手間を要し、身体部位に重点的に水素を供給することに困難がある。
【００１１】
本発明は、かかる点に鑑み大浴槽で水素ガスを効果的に活用するに際し、大浴槽に適用するに手間を要さず、冷え性の改善、美容効果、疲労回復効果、皮膚病の改善あるいはダイエット効果を人間の肩部、背中もしくは腹部、腰部、大腿部、ひざ部、脚部及び足甲部からなる身体部位に重点的に水素を供給して、これらの身体部を重点的に改善できるようにすることを課題とする。
【課題を解決するための手段】
【００１２】
本発明は、水素ガス源としての水素ボンベに収納された水素ガスが浴槽内の水あるいはお湯に噴出させる水素ガス放出装置を備えた浴槽であって、
水素ガス放出装置が、浴槽の底面部に載置されることが可能とされ、立方体形態をなし、面上に着脱手段を備え、内部に空洞部を有して、該空洞部に、一方側から水素ガス導入部が、そして他方側に水素ガス導出部が設けられ、水素ガス放出孔が穿たれた単一形水素放出容器が複数用いられて形成され、
単一形水素放出容器が水素ボンベに配管を介して連結され、
複数の単一形水素放出容器同士が隣接配置され、任意数の組み合わせで着脱手段によって着脱自在に結合され、水素ガス導入部が隣接する単一形水素放出容器の水素ガス導出部に連結されて、平面板状に形成して組み立てられた単一形水素放出容器が浴槽の底部に配置され、水素ガスが単一形水素放出容器から隣接配置された単一形水素放出容器に流され、単一形水素放出容器の水素ガス放出孔から浴槽内のお湯に噴出されること
を特徴とする水素ガス放出装置を備えた浴槽を提供する。
【００１３】
本発明は、上述された水素ガス放出装置を備えた浴槽において、
単一形水素放出容器が、水素ガス放出孔の水素ガス流れ上流側に逆止弁を備えることを特徴とする水素ガス放出装置を備えた浴槽を提供する。
【００１４】
本発明は、上述された水素ガス放出装置を備えた浴槽における浴槽内水素発生方法において、
浴槽内の人間の肩部、背中もしくは腹部、腰部、大腿部、ひざ部、脚部及び足甲部からなる複数の身体部位に接触あるいは近接配置された単一形水素放出容器が複数個備えられ、当該複数個備えられた単一形水素放出容器から、浴槽内の人間の肩部、背中もしくは腹部、腰部、大腿部、ひざ部、脚部又は足甲部に対応して単一形水素放出容器が選択され、選択された単一形水素放出容器から浴槽内の人間の肩部、背中もしくは腹部、腰部、大腿部、ひざ部、脚部又は足甲部に向けて、発生した水素ガスを、水あるいはお湯中に噴出させること
を特徴とする水素ガス放出装置による浴槽内水素発生方法を提供する。
【発明の効果】
【００１５】
本発明によれば、複数の単一形水素放出容器同士が隣接配置され、任意数の組み合わせで着脱手段によって着脱自在に結合され、水素ガス導入部が隣接する単一形水素放出容器の水素ガス導出部に連結されて、平面板状に形成して組み立てられた単一形水素放出容器が浴槽の底部に配置され、水素ガスが単一形水素放出容器から隣接配置された単一形水素放出容器に流され、単一形水素放出容器の水素ガス放出孔から浴槽内のお湯に噴出されることができる。
【００１６】
大浴場であっても、浴槽内に人間の肩部、背中もしくは腹部、腰部、大腿部、ひざ部、脚部及び足甲部からなる人間の複数の各種身体部位に、単一形水素放出容器から水素ガスを、浴槽内の人間の複数の各種身体部位に向けて水あるいはお湯中に噴出させることができる。
【００１７】
これによって、水素発生剤を効果的に活用し、冷え性の改善、美容効果、疲労回復効果、皮膚病の改善あるいはダイエット効果を人間の肩部、背中もしくは腹部、腰部、大腿部、ひざ部、脚部及び足甲部からなる各種身体部位に重点的に水素を供給して、これらの各種身体部位を重点的に改善できる。
【図面の簡単な説明】
【００１８】
【図１】本発明の実施例である水素ガス放出装置を備えた浴槽の内部の一部を示す図
【図２】本発明の実施例である水素放出装置を浴槽１内に設置した状況を示す図
【図３】本発明の実施例である水素放出装置を他の形態になる浴槽に設置した状況を示す図
【図４】本発明の実施例であるブロック方式の組み立てになる水素放出装置の構成を示す図
【図５】ブロック方式で制作された単一形水素放出容器の構成を示す図
【図６】ブロック方式で制作された単一形水素放出容器の構成及びマット方式で組み立てられた水素放出装置の構成を示す図
【図７】本発明の実施例である水素放出装置を構成する複数の単一形水素放出容器の内のいくつかの単一形水素放出容器が活用されて所望の箇所に発生した水素ガスを噴出させた状態を示す図
【図８】本発明の実施例である水素放出装置を構成する複数の単一形水素放出容器の内のいくつかの単一形水素放出容器が活用されて所望の箇所に発生した水素ガスを噴出させた状態を示す図
【発明を実施するための形態】
【００１９】
以下、本発明の実施例を図面に基づいて説明する。
【００２０】
図１は、本発明の実施例である水素ガス放出装置を備えた浴槽の内部の一部を示す図である。本発明は、公衆浴場のような大浴槽に適用されて効果が大きい。図１は大浴槽の例を示すが、以下浴場として説明する。
【００２１】
図１において、水素ガス源としての水素ボンベ１０１に収納された水素ガスが浴槽内の水あるいはお湯に噴出させる水素ガス放出装置を備えた浴槽１が示される。浴槽１には、お湯供給路４からお湯あるいは水が供給される。
【００２２】
浴槽１は、その底部配置された多数の単一形水素放出装置１００を備え、単一形水素放出装置１００は、配管１０２を介して水素ボンベ１０１に連結され、水素ボンベ１０１からの水素ガスが単一形水素放出装置１００から水素ガスが浴槽内の水あるいはお湯に噴出される。配管１０２には、流量制御弁１０３が設けられる。配管１０２は、分岐した分岐管１０２Ａに接続され、分岐管１０２Ａは、図面において最右側の各単一形水素放出装置１００に導かれる。
【００２３】
図２は、本発明の実施例である水素放出装置１００を浴槽１内に設置した状況を示す図である。ブロック形態の単一形水素放出容器１０が組み立てられ、隣接するロック形態の単一形水素放出容器１０の間には、実質的に間隙がないように組み立てられる。
【００２４】
図２において、水素放出装置１００を浴槽１内に設置することで、水素ガスを効果的に活用し、冷え性の改善、美容効果、疲労回復効果、皮膚病の改善あるいはダイエット効果を人間の肩部、背中もしくは腹部、腰部、大腿部、ひざ部、脚部及び足甲部からなる人間の各種身体部位１４に重点的に水素を供給して、これらの各種身体部を重点的に改善する。図に記載された肩部、背中もしくは腹部、腰部、大腿部、ひざ部、脚部及び足甲部は、これらの人間の各種身体部位１４に対応して設置された単一形水素放出容器１０を示す。各種身体部位１４は例示であってこれらの記載された身体部位に限定されない。
【００２５】
浴槽１内に供給口４から水あるいはお湯が供給され、浴槽１に水あるいはお湯が張られ（以下、お湯２が張られた場合について説明する。）、水素放出装置１００が浴槽１の底部に設置され、その上に人間３がリラックス状態で全身を伸ばして横たわる。浴槽１の形態に応じて人間３の水素放出装置１００上での姿勢は変わる。本実施例は、図２あるいは図３に示される、浴槽で入浴を楽しむ人間の各様の入浴姿勢に対応することができる。
【００２６】
図３は、本発明の実施例である水素放出装置１００を他の形態になる浴槽１に設置した状況を示す図である。
【００２７】
図４は、本発明の実施例であるブロック方式の組み立てになる水素放出装置１００の構成を示す図である。
【００２８】
図５は、ブロック方式で制作された単一形水素放出容器１０の構成を示す図である。
【００２９】
これらの図において、水よりも比重の大きな材料で構成され、上面部及び下面部を有し、４方の側面部を有して立方体形態をなし、４方の側面部に着脱手段を備え、内部に空洞部を有する。ポケット部を備えた単一形水素放出容器１０が複数用いられ、気泡放出孔が穿たれる。
【００３０】
複数の単一形水素放出容器同士が隣接配置され、着脱手段によって着脱自在に結合されることで、十字双方の平面方向に、任意の形態の平面板状をなすように組み立てられる。
【００３１】
水素放出装置１００は、浴槽１の底面部に載置されて、複数の単一形水素放出容器の内のいずれかの単一形水素放出容器１０が浴槽１内の人間３の身体の各部に接触あるいは近接配置可能とされ、水素発生剤とお湯との反応によって生成された水素ガスを、浴槽の底面部に載置されて浴槽内の選択された人間の各種身体部位に向けて、水あるいはお湯に噴出させる。
【００３２】
図５において、単一形水素放出容器１０は、ブロック体になるブロック形態で単一形状を有するように制作される。図５（a）はその１例を示し、図５（ｂ）は単一形水素放出容器１０に用いられる逆止弁装置５０の例を示す。
【００３３】
図５（a）において、単一形水素放出容器１０は、水よりも比重の大きな材料で構成され、表面に小孔が穿たれる。単一形水素放出容器１０が樹脂材で形成される場合に重りとなるものを付着して、単一形水素放出容器１０は、水よりも比重の大きなものとすることができる。
【００３４】
４方の側面部１３を側面部１３Ａ，１３Ｂ，１３Ｃ及び１３Ｄで表示する。上面部１１及び下面部１２は、正四角形で平面状を呈する。
【００３５】
ポケット部１５は、空洞部１６を有して、上面部１１に属する上端が開口されて、蓋１８とされ、上面部１１に属する隣接する上端が閉じられる。上面には、小孔である気泡放出孔１９が空洞部１６に連通するようにして穿たれる。
【００３６】
ポケット部１５は、このような構成であるので、Ｌ字状をなす。ポケット部１５には、水素ガスを放出する気泡放出口部１９が設けられる。
【００３７】
空洞部に、一方側から水素ガス導入部が、そして他方側に水素ガス導出部が設けられる。図では、水素ガス導出管４５が水素ガス導出部を形成し、水素ガス導出管４５が設けられた面の反対側の面に設けられた水素ガス導出孔（記載されない、）が水素ガス導出部を形成する。水素ガス導出管４５と水素ガス導出孔の配置を逆転することができる。
【００３８】
単一形水素放出容器１０は、上面部に空洞部４９が形成され、この空洞部４９には逆止弁装置５０が装着される。逆止弁装置５０は、１個の気泡放出孔１９を持つ。
【００３９】
図では、１個の気泡放出孔１９が図示され、気泡放出孔１９から導入された水素ガスが放出される。
【００４０】
ポケット部１５の上面部は、２〜３ｃｍの厚さを有する。
【００４１】
密着蓋１８を設けて、水素発生剤２０を収納する袋体１７を設置後、この密着蓋を閉じる。
【００４２】
図５（ｂ）は、図５（a）に示される単一形水素放出容器１０に装着される逆止弁装置５０の構成を示す。
【００４３】
逆止弁装置５０は、筒体５１、逆止弁５２から構成される筒体５１は、上面５５を有し、下端は開放される。上面５５の中央に小孔でなる１個の気泡放出孔１９が形成される。
【００４４】
筒体５１の中に情報に向けて逆止弁５２が配置される。逆止弁５２は、開放可能で、上方からの圧力の作用で閉じ、下方からの水素ガスの流れで開放される弁部５３を備える。  逆止弁５２は下端部の固定部５４で筒体５１に固着され、筒体５１と共に単一形水素放出容器１０の本体に固着される。
【００４５】
この例では、単一形水素放出容器１０は、上面部１１及び下面部１２が正四角形で平面状としたが、上面部１１及び下面部１２を凹面状とし、矩形状とすることができる。又角部は丸め形状にすることができる。
【００４６】
側面部１３Ａ、１３Ｄには、並列して２つの円筒状の突起部２１、２２がそれぞれ直立して設けられ、側面部１３Ｂ、１３Ｃには、並列して２つの嵌入孔部２３、２４がそれぞれ直立して設けられる。突起部２１、２２の円筒太さ及び嵌入孔部２３、２４の孔径は、突起部２１、２２を嵌入孔部２３、２４に緩やかに嵌入できる大きさとされ、隣接した他の単一形水素放出容器１０の突起部２１、２２を嵌入孔部２３、２４の着脱を容易に実現する。
【００４７】
単一形水素放出容器１０は、水よりも比重の大きな材料で構成される。例えば、浴槽内で使用される滑り止めマットと同一の材料が使用される。天然ゴムを使用することで、簡便に成形でき、嫌なにおいを排除することができる。天然ゴムや合成ゴムを加熱型又は加熱加圧型加硫機でブロック状に加硫成形してもよい。充填材含有ゴム粒子を樹脂接着剤にて相互に結合してなるブロック体としてもよい。発泡体、例えばオレフインやポリウレタン等の各種の発泡体で制作した発泡体ブロックでもよい。この場合、積層体形態の水素放出装置１００としてもよい。
【００４８】
図４に示される単一形水素放出容器１０が集合されて、図３に示され水素放出装置１００が構成される。複数の単一形水素放出容器同士が隣接配置され、突起部２１、２２及び嵌入孔部２３、２４からなる着脱手段によって着脱自在に結合されることで、矢印で示されるように十字双方の平面方向に、任意の形態の平面板状をなすように組み立てられる。
【００４９】
この例では、突起部２１、２２及び嵌入孔部２３、２４からなる着脱手段が示されたが他の構造になる着脱手段が採用され得る。留め具あるいはマジックテープ（登録商標）のような着脱手段が採用されてもよい。要は、十字双方の平面方向に、任意の形態の平面板状をなし、浴槽内の人間の姿勢に対応できる形態に組み立てられればよく、面上に着脱手段を備えていればよい。人間の肩部、背中もしくは腹部、腰部、大腿部、ひざ部、脚部及び足甲部からな人間の部分的なあるいは全体の身体部位に対応できるように組み立てられるものとする。
【００５０】
この実施例によれば、次の形態が構成される。
【００５１】
水素ガス放出装置が、水あるいはお湯よりも比重の大きな材料で構成されて、浴槽の底面部に載置されることが可能とされ、上面部及び下面部を有し、４方の側面部を有して立方体形態をなし、面上に着脱手段を備え、内部に空洞部を有して、該空洞部に、一方側から水素ガス導入部が、そして他方側に水素ガス導出部が設けられ、水素ガス放出孔が穿たれた単一形水素放出容器が複数用いられて形成される。
【００５２】
単一形水素放出容器が水素ボンベに配管を介して連結される。
【００５３】
複数の単一形水素放出容器同士が隣接配置され、任意数の組み合わせで着脱手段によって着脱自在に結合され、水素ガス導入部が隣接する単一形水素放出容器の水素ガス導出部に連結されて、平面板状に形成して組み立てられた単一形水素放出容器が浴槽の底部に配置され、水素ガスが単一形水素放出容器から隣接配置された単一形水素放出容器に流され、単一形水素放出容器の水素ガス放出孔から浴槽内のお湯に噴出される。
【００５４】
単一形水素放出容器が、水素ガス放出孔の水素ガス流れ上流側に逆止弁を備える。水素ガスが単一形水素放出容器から隣接配置された単一形水素放出容器に流され、単一形水素放出容器の水素ガス放出孔から浴槽内のお湯に噴出される。
【００５５】
図６は、ブロック方式で制作された単一形水素放出容器１０の構成及びマット方式で組み立てられた水素放出装置の構成を示す図である。図６（a）は、ブロック方式で制作された単一形水素放出容器１０の構成を示す図であり、図６（ｂ）は、マット方式で組み立てられた水素放出装置の構成を示す図である。この例では、マット３０が着脱手段とされる。
【００５６】
図６（a）において、図４に示す単一形水素放出容器１０と同様にして単一形水素放出容器１０が、ブロック形態で単一形状を有するように制作される。  
単一形水素放出容器１０は、水よりも比重の大きな材料で構成され、４方の側面部１３を側面部１３Ａ，１３Ｂ，１３Ｃ及び１３Ｄで表示する。上面部１１及び下面部１２は、正四角形で平面状を呈する。
【００５７】
ポケット部１５は、空洞部１６を有して、上面部１１に属する上端が開口されて、蓋１８とされ、上面部１１に属する隣接する上端が閉じられ、この閉じられて部分には、気泡放出孔１９が空洞部１６に連通するようにして穿たれる。
【００５８】
ポケット部１５は、このような構成であるので、Ｌ字状をなす。た発生水素ガスを放出する気泡放出口部１９が設けられる。図では、１個の気泡放出孔１９が図示されているが、多数の小孔とすることができる。気泡放出孔１９から水素ガスを放出する。
【００５９】
密着蓋１８を設けて、メンテナンス時にポケット部１５をメンテナンスできるようにする。
【００６０】
この例では、上面部１１及び下面部１２は、正四角形で平面状としたが、上面部１１及び下面部１２を凹面状とし、矩形状とすることができる。又角部は丸め形状にすることができる。
【００６１】
図５に示される例では、側面部１３Ａ、１３Ｄには、並列して２つの円筒状の突起部２１、２２がそれぞれ直立して設けられたが、この例では平面とされる。図４に示される例では、側面部１３Ｂ、１３Ｃには、並列して２つの嵌入孔部２３、２４がそれぞれ直立して設けられたが、この例では平面とされる。下面部１２に、並列して２つの円筒状の突起部２５が直立して設けられる。突起部２５は、図４における突起部２１，２２に相当する。
【００６２】
図６（ｂ）に示されるように、単一形水素放出容器１０を取り付けるマット３０が準備される。マット３０は、単一形態をなして制作され、矩形状をなし、浴槽１の形状に倣って長手方向及び幅方向の所定の長さを備える。長手方向において、浴槽１内に横たわる人間の背丈に近似した長さとされ、幅方向において、人間の肩幅に近似した長さとされる。
【００６３】
マット３０の表面上に、一点鎖線で示されるように格子状に十字方向に多数の嵌入孔２６が設けられる。嵌入孔２６は、図４における嵌入孔２３，２４に相当する。並列して２つの円筒状の突起部２５の一組に対応して、隣接する２つの嵌入孔２６が一組となる。
【００６４】
図６において、水よりも比重の大きな材料で構成され、上面部及び下面部を有し、４方の側面部を有して立方体形態をなし、４方の側面部に着脱手段を備え、内部に空洞部を形成する。ポケット部を備えた単一形水素放出容器１０が複数用いられ、
複数の単一形水素放出容器同士が隣接配置され、着脱手段によって着脱自在に結合されることで、十字双方の平面方向に、任意の形態の平面板状をなすように組み立てられる。
【００６５】
水素放出装置１００は、浴槽１の底面部に載置されて、複数の単一形水素放出容器の内のいずれかの単一形水素放出容器１０が浴槽１内の人間３の身体の各部に接触あるいは近接配置可能とされ、水素発生剤とお湯との反応によって生成された水素ガスを、浴槽の底面部に載置されて浴槽内の人間に向けて、水あるいはお湯に噴出させる。
【００６６】
図６に記載された構成にあっても、次の形態が構成される。
【００６７】
水素ガス放出装置が、水あるいはお湯よりも比重の大きな材料で構成されて、浴槽の底面部に載置されることが可能とされ、上面部及び下面部を有し、４方の側面部を有して立方体形態をなし、面上に着脱手段を備え、内部に空洞部を有して、該空洞部に、一方側から水素ガス導入部が、そして他方側に水素ガス導出部が設けられ、水素ガス放出孔が穿たれた単一形水素放出容器が複数用いられて形成される。
【００６８】
単一形水素放出容器が水素ボンベに配管を介して連結される。
【００６９】
複数の単一形水素放出容器同士が隣接配置され、任意数の組み合わせで着脱手段によって着脱自在に結合され、水素ガス導入部が隣接する単一形水素放出容器の水素ガス導出部に連結されて、平面板状に形成して組み立てられた単一形水素放出容器が浴槽の底部に配置され、水素ガスが単一形水素放出容器から隣接配置された単一形水素放出容器に流され、単一形水素放出容器の水素ガス放出孔から浴槽内のお湯に噴出される。
【００７０】
単一形水素放出容器が、水素ガス放出孔の水素ガス流れ上流側に逆止弁を備える。水素ガスが単一形水素放出容器から隣接配置された単一形水素放出容器に流され、単一形水素放出容器の水素ガス放出孔から浴槽内のお湯に噴出される。
【００７１】
図７及び図８は、図２に示される例において、浴槽内に設置された水素放出装置１００を構成する複数の単一形水素放出容器の内のいくつかの単一形水素放出容器１０が活用されて所望の箇所に発生した水素ガスを噴出させた状態を示す図である。単一形水素放出容器の底面部は、浴槽面に沿った形状とすることができる。
【００７２】
例えば、図７において、腰部は浴槽の曲り面に面して安定するので、ここに配置される単一形水素放出容器は、曲率を有したものとすることが推奨される。
【００７３】
図７は、肩部及び背中又は腹部に近接したいくつかの単一形水素放出容器１０が活用されて肩部及び背中又は腹部に発生した水素ガスを噴出させた状態を示す図である。図７は、腰部及びひざ部に近接したいくつかの単一形水素放出容器１０が活用されて腰部及びひざ部に発生した水素ガスを噴出させた状態を示す図である。
【００７４】
図７及び図８にあっては、人間の各種身体部位が選択されて対応するポケット部１５に水素が導入され、一部の水素ガスが放出され、他のガスが隣接配置された単一形水素放出容器１０へと導出される方法が記載された。このような種々の配置形態は、患者に適用された場合に、肩部、背中もしくは腹部、腰部、大腿部、ひざ部、脚部及び足甲部からなる人間の各種身体部位に重点的に水素を供給することで、治療効果を得ることができる。
【００７５】
よって、水素ガスを、浴槽の底面部に載置されて浴槽内の人間に向けて、浴槽内の水あるいはお湯に噴出させる水素放出装置による浴槽内水素発生方法であって、浴槽内に人間の肩部、背中もしくは腹部、腰部、大腿部、ひざ部、脚部及び足甲部からなる人間の複数の各種身体部位の組み合わせからなる複数の各種身体部位に１または２つの単一形水素放出容器から発生した水素ガスを、浴槽内の人間の複数の各種身体部位に向けて水あるいはお湯中に噴出させ、治療効果を得ることができる水素放出装置による浴槽内水素発生方法が構成される。
【００７６】
このように、水素放出装置による浴槽内水素放出方法において、浴槽内に水あるいはお湯が投入されたときに、浴槽内の人間の各種身体部位に接触あるいは近接配置された単一形水素放出容器のポケット部に水素ガスを導入し、水素ガスを、浴槽内の人間の各種身体部位に接触あるいは近接した各部に向けて水あるいはお湯中に噴出させる浴槽内水素発生方法が構成される。
【００７７】
具体的には、水素ガスを、浴槽の底面部に載置されて浴槽内の人間に向けて、浴槽内の水あるいはお湯に噴出させる水素放出装置が、それぞれに水素ガスを浴槽内に噴出させ得る単一形水素放出容器を複数個備えて構成され、当該水素放出装置による浴槽内水素発生方法であって、浴槽内の人間の肩部、背中もしくは腹部、腰部、大腿部、ひざ部、脚部及び足甲部からなる人間の複数の各種身体部位に向けそれぞれ対応して、複数の単一形水素放出容器から人間の選択になる単一形水素放出容器から水素ガスを、水あるいはお湯中に噴出させる浴槽内水素発生方法が提供される。
【００７８】
これによって、水素放出装置による浴槽内水素発生方法による治療方法が提供される。
【符号の説明】
【００７９】
１００…水素放出装置、１０１…水素ボンベ、１０２…配管、１…浴槽、２…浴槽に張られた水あるいはお湯、３…人間、１０…単一形水素放出容器、１１…上面部、１２…下面部、１３…４方の側面部、１４…人間の各種身体部位、１５…ポケット部、１６…空洞部、１７…袋体、１８…密着蓋、１９…気泡放出孔、２１、２２、２５…突起部（着脱手段）、２３、２４、２６…嵌入孔部（着脱手段）、３０…マット、５０…逆止弁装置、４５…水素ガス導出管、５１…筒体、５２…逆止弁、５３…弁部、５４…固定部。
【図１】
2020081126.tif 000003
【図２】
2020081126.tif 000004
【図３】
2020081126.tif 000005
【図４】
2020081126.tif 000006
【図５】
2020081126.tif 000007
【図６】
2020081126.tif 000008
【図７】
2020081126.tif 000009
【図８】
2020081126.tif 000010
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
水素ガス源としての水素ボンベに収納された水素ガスが浴槽内の水あるいはお湯に噴出させる水素ガス放出装置を備えた浴槽であって、
水素ガス放出装置が、浴槽の底面部に載置されることが可能とされ、立方体形態をなし、面上に着脱手段を備え、内部に空洞部を有して、該空洞部に、一方側から水素ガス導入部が、そして他方側に水素ガス導出部が設けられ、水素ガス放出孔が穿たれた単一形水素放出容器が複数用いられて形成され、
単一形水素放出容器が水素ボンベに配管を介して連結され、
複数の単一形水素放出容器同士が隣接配置され、任意数の組み合わせで着脱手段によって着脱自在に結合され、水素ガス導入部が隣接する単一形水素放出容器の水素ガス導出部に連結されて、平面板状に形成して組み立てられた単一形水素放出容器が浴槽の底部に配置され、水素ガスが単一形水素放出容器から隣接配置された単一形水素放出容器に流され、単一形水素放出容器の水素ガス放出孔から浴槽内のお湯に噴出されること
を特徴とする水素ガス放出装置を備えた浴槽。
【請求項２】
請求項１に記載された水素ガス放出装置を備えた浴槽において、
単一形水素放出容器が、水素ガス放出孔の水素ガス流れ上流側に逆止弁を備えることを特徴とする水素ガス放出装置を備えた浴槽。
【請求項３】
請求項１又は２に記載された水素ガス放出装置を備えた浴槽における浴槽内水素発生方法において、
浴槽内の人間の肩部、背中もしくは腹部、腰部、大腿部、ひざ部、脚部及び足甲部からなる複数の身体部位に接触あるいは近接配置された単一形水素放出容器が複数個備えられ、当該複数個備えられた単一形水素放出容器から、浴槽内の人間の肩部、背中もしくは腹部、腰部、大腿部、ひざ部、脚部又は足甲部に対応して単一形水素放出容器から浴槽内の人間の肩部、背中もしくは腹部、腰部、大腿部、ひざ部、脚部又は足甲部に向けて、発生した水素ガスを、水あるいはお湯中に噴出させること
を特徴とする水素ガス放出装置による浴槽内水素発生方法。